(57)【要約】      （修正有）【課題】収納物品の高さに応じて袋体の高さを調節することができ、かつ物品の取り出しや収納の際に作業がし易い物品搬送用袋体を提供する。【解決手段】底面１１の四辺からそれぞれ延設された壁面１５、１９、２３、２７のうち、一つの壁面２７を他の壁面よりも上下の長さが大の長壁面とし、各壁面の側部には隣り合う壁面との開閉用ファスナー２１を上下方向に設け、各壁面１５、１９、２３、２７の外面と内面の少なくとも一方には対向する壁面と一部が重なった際の係合用ファスナー３５ａ、３５ｂ、・・・、３７ａ、・・・、３９ａ、・・・を設け、袋体１０に収納した物品の高さに応じて開閉用ファスナー２１の下端からの係合量を調節し、開閉用ファスナー２１の係合している上端位置よりも上方の壁面の部分を折り曲げて重なった壁面同士を係合用ファスナーで係合するようにした。【選択図】図１
2016159913.tif 000002
【特許請求の範囲】
【請求項１】
物品を収納して運搬するための物品搬送用袋体において、
前記袋体は、平面視四角形の底面と、前記底面の四辺からそれぞれ延設された壁面とからなり、
前記各壁面は折り曲げ可能な材質からなり、
前記各壁面の側部には隣り合う壁面との開閉用ファスナーが上下方向に設けられ、
前記袋体に収納した物品の高さに応じて前記開閉用ファスナーの下端からの係合量を調節して前記各壁面により上方の開口した袋状とし、前記開閉用ファスナーの係合部分よりも上方の壁面の部分を折り曲げて、少なくとも一つの壁面の折り曲げた部分で前記開口を覆うと共に、前記折り曲げによって重なった壁面同士を係合させるようにしたことを特徴とする物品搬送用袋体。
【請求項２】
前記各壁面のうち一つの壁面は他の壁面よりも上下の長さが大の長壁面とされ、かつ前記長壁面は前記他の壁面に対して長さが等しい部分と該長さが等しい部分の上端から延設された蓋部分とよりなり、
前記各壁面の外面と内面の少なくとも一方には対向する壁面と一部が重なった際の係合用ファスナーが設けられていることを特徴とする請求項１に記載の物品搬送用袋体。
【請求項３】
前記各壁面の前記開閉用ファスナーが前記他の壁面の上部まで係合して前記各壁面によって上方の開口した袋状を形成した状態で、前記長壁面は、前記蓋部分が前記開口を覆って前記長壁面と対向する他の壁面の外面に先端部が重なって前記係合用ファスナーで係合可能に構成されていることを特徴とする請求項２に記載の物品搬送用袋体。
【請求項４】
前記袋体に収納した物品の高さに応じて前記開閉用ファスナーの下端からの係合量を調節し、前記長壁面と対向する壁面で前記開閉用ファスナーの係合部分よりも上方の部分を、前記袋体に収納した物品の上方に折り重ね、前記長壁面における前記開閉用ファスナーの係合部分よりも上方の部分を、前記物品の上方に折り重ねた前記対向する壁面の上で折り畳み、該折り畳んだ部分の上に残りの壁面を折り重ねて前記係合用ファスナー同士の係合を行うことが可能に構成されていることを特徴とする請求項２に記載の物品搬送用袋体。
【請求項５】
前記底面及び各壁面は断熱性シートからなることを特徴とする請求項１から４の何れか一項に記載の物品搬送用袋体。
【請求項６】
前記各壁面には、折り曲げ時の助けとなる折り目が形成されていることを特徴とする請求項１から５の何れか一項に記載の物品搬送用袋体。
【発明の詳細な説明】
【技術分野】
【０００１】
本発明は、食品等の物品をスーパー等へ搬送する際に使用される物品搬送用袋体に関する。
【背景技術】
【０００２】
食品等の物品をスーパー等へ搬送する際に使用される物品搬送用袋体として、「ばんじゅう」と称される上方が開口した薄型の運搬容器の複数を積み重ねた状態で収納可能に構成されたものがある。ばんじゅうが収納された物品搬送用袋体は、ドーリー（台車）に載置されて搬送される。
【０００３】
物品搬送用袋体は、搬送時や搬送先でのスペースを少なくするため、収容物の高さに応じて袋体の高さを調節できるものが好ましい。
従来、高さ調節可能な物品搬送用袋体として、ほぼ同一の高さを有する複数の筒状体を上下に伸縮可能に連結し、かつ縮めた際に上側の筒状体が下側の筒状体の外側に嵌まるようにし、最上位となる筒状体の対向する側面に設けた紐同士を、収納物品の上で結んで最上位の筒状体がずり落ちないようにしたものがある。
【０００４】
しかし、複数の筒状体を上下に伸縮可能に連結した物品搬送用袋体は、物品の取り出しや収納の際に最上段の筒状体の位置を維持している紐を解くと、複数の筒状体が最低位置までずり落ちてしまうため、その都度、最上段となる筒状体を収納物品の上端位置まで持ち上げて再び紐を結び直さねばならず、作業に手間取る問題がある。
【先行技術文献】
【特許文献】
【０００５】
【特許文献１】特開２０１０−２５４３１１号公報
【発明の概要】
【発明が解決しようとする課題】
【０００６】
本発明は前記の点に鑑みなされたものであって、収納物品の高さに応じて袋体の高さを調節することができ、かつ物品の取り出しや収納の際に作業がし易い物品搬送用袋体の提供を目的とする。
【課題を解決するための手段】
【０００７】
請求項１の発明は、物品を収納して運搬するための物品搬送用袋体において、前記袋体は、平面視四角形の底面と、前記底面の四辺からそれぞれ延設された壁面とからなり、前記各壁面は折り曲げ可能な材質からなり、前記各壁面の側部には隣り合う壁面との開閉用ファスナーが上下方向に設けられ、前記袋体に収納した物品の高さに応じて前記開閉用ファスナーの下端からの係合量を調節して前記各壁面により上方の開口した袋状とし、前記開閉用ファスナーの係合部分よりも上方の壁面の部分を折り曲げて、少なくとも一つの壁面の折り曲げた部分で前記開口を覆うと共に、前記折り曲げによって重なった壁面同士を係合させるようにしたことを特徴とする。
【０００８】
請求項２の発明は、請求項１において、前記各壁面のうち一つの壁面は他の壁面よりも上下の長さが大の長壁面とされ、かつ前記長壁面は前記他の壁面に対して長さが等しい部分と該長さが等しい部分の上端から延設された蓋部分とよりなり、前記各壁面の外面と内面の少なくとも一方には対向する壁面と一部が重なった際の係合用ファスナーが設けられていることを特徴とする。
【０００９】
請求項３の発明は、請求項２において、前記各壁面の前記開閉用ファスナーが前記他の壁面の上部まで係合して前記各壁面によって上方の開口した袋状を形成した状態で、前記長壁面は、前記蓋部分が前記開口を覆って前記長壁面と対向する他の壁面の外面に先端部が重なって前記係合用ファスナーで係合可能に構成されていることを特徴とする。
【００１０】
請求項４の発明は、請求項２において、前記袋体に収納した物品の高さに応じて前記開閉用ファスナーの下端からの係合量を調節し、前記長壁面と対向する壁面で前記開閉用ファスナーの係合部分よりも上方の部分を、前記袋体に収納した物品の上方に折り重ね、前記長壁面における前記開閉用ファスナーの係合部分よりも上方の部分を、前記物品の上方に折り重ねた前記対向する壁面の上で折り畳み、該折り畳んだ部分の上に残りの壁面を折り重ねて前記係合用ファスナー同士の係合を行うことが可能に構成されていることを特徴とする。
【００１１】
請求項５の発明は、請求項１から４の何れか一項において、前記底面及び各壁面は断熱性シートからなることを特徴とする。
【００１２】
請求項６の発明は、請求項１から５の何れか一項において、前記各壁面には、折り曲げ時の助けとなる折り目が形成されていることを特徴とする。
【発明の効果】
【００１３】
請求項１の発明によれば、収納物品の高さに応じて、壁面の側部の開閉用ファスナーの下端からの係合量を調節することによって袋体の高さを調節することができ、搬送時や搬送先での必要スペースを少なくすることができる。さらには、物品の取り出しや収納の際には、各壁面の側部の開閉用ファスナーを作業のし易い位置まで係合させてその位置まで壁面を開放した状態とすればよいため、作業が容易である。
【００１４】
請求項２及び請求項３の発明によれば、袋体内に物品を最大限収納した際に、長壁面の一部を袋体の蓋部として利用することができ、作業が容易である。
【００１５】
請求項４の発明によれば、袋体に収納した物品の高さが低く、長壁面を対向する壁面の外面に係合させるには長すぎることになる場合、長壁面における開閉用ファスナーの係合部分よりも上方の部分を、収納物品の上方で折り畳んで載置することができ、長壁面が長すぎて邪魔になることがない。
【００１６】
請求項５の発明によれば、底面及び各壁面は断熱性シートからなるため、保温・保冷が望まれる物品の搬送に適する。
【００１７】
請求項６の発明によれば、壁面に形成されている折り目を利用して壁面を折り曲げることができるため、収納物品の高さに応じて袋体の高さを調節する際の作業が容易である。
【図面の簡単な説明】
【００１８】
【図１】本発明の一実施例に係る物品搬送用袋体の前面側斜視図である。
【図２】同実施例の物品搬送用袋体の背面側斜視図である。
【図３】同実施例の物品搬送用袋体を展開した内面図である。
【図４】同実施例の物品搬送用袋体に物品を最大限まで収納する場合の例を示す斜視図である。
【図５】同実施例の物品搬送用袋体に物品を最大限よりも減らして収納する場合の第１例の前半作業を示す斜視図である。
【図６】同実施例の物品搬送用袋体に物品を最大限よりも減らして収納する場合の第１例の後半作業を示す斜視図である。
【図７】同実施例の物品搬送用袋体に物品を最大限よりも減らして収納する場合の第２例の前半作業を示す斜視図である。
【図８】同実施例の物品搬送用袋体に物品を最大限よりも減らして収納する場合の第２例の後半作業を示す斜視図である。
【図９】同実施例の物品搬送用袋体に物品を最大限よりも減らして収納する場合の第３例の前半作業を示す斜視図である。
【図１０】同実施例の物品搬送用袋体に物品を最大限よりも減らして収納する場合の第３例の後半作業を示す斜視図である。
【発明を実施するための形態】
【００１９】
図１及び図２の斜視図及び図３の展開図に示す本発明の一実施例に係る物品搬送用袋体１０は、平面視四角形の底面１１と、前記底面１１の四辺からそれぞれ延設された壁面１５、１９、２３、２７とからなり、各壁面１５、１９、２３、２７を開放して袋体１０内にばんじゅう１００を収納したり、袋体１０から取り出したりされ、搬送時には図示しないドーリー（台車）に載置される。
【００２０】
前記各壁面１５、１９、２３、２７のうち、一つの壁面２７は、他の壁面１５、１９、２３、２７よりも上下の長さが大の長壁面で構成されている。前記長壁面についても符号２７を用いて示す。前記長壁面２７は、図３に示すように、前記他の壁面１５、１９、２３に対して上下の長さが等しい部分２７ａと、該長さが等しい部分２７ａの上端から延設された蓋部分２８とよりなる。前記長さが等しい部分２７ａと前記蓋部分２８とは、図示のように、折り目３１を介して連続した一連のもの、あるいは、図示しない線ファスナーや面ファスナー等の係合部品で連結及び分離可能とされたもので構成される。また、本実施例では、前記長壁面２７における前記長さが等しい部分２７ａは背壁面に相当し、前記長壁面２７と対向する壁面１５は前壁面に相当し、さらに、前記壁面１９と２３は左壁面と右壁面に相当する。なお、以下において、前記長壁面２７以外の他の壁面１５、１９、２３をさらに区別したい場合には、前壁面１５、左壁面１９、右壁面２３と記す。
【００２１】
前記各壁面１５、１９、２３、２７は折り曲げ可能な材質からなる。前記各壁面１５、１９、２３、２７は、布のような形状維持性のないものとは異なり、折り曲げ可能ではあるが、形状維持可能な材質からなる。本実施例の前記各壁面１５、１９、２３、２７及び前記底面１１は、断熱性シートからなる。断熱性シートとしては、発泡体やプラスチッククロスなどのシート状基材の両面にアルミニウム蒸着フィルムが直接あるいはプラスチックフィルムを介して接着又は融着等で接合されたものが好適である。
【００２２】
前記各壁面１５、１９、２３、２７の下端は、前記底面１１の対応する辺と縫合等によって連結されている。また、本実施例では、前記各壁面１５、１９、２３、２７の各側部の縁には隣り合う壁面との連結及び分離を行うための開閉用ファスナー２１がそれぞれ上下方向に設けられている。各壁面の開閉用ファスナー２１は、下端からの長さが各壁面１５、１９、２３、２７において等しくされ、前記長壁面２７において前記蓋部分２８については、前記開閉用ファスナー２１が設けられていない。
【００２３】
前記開閉用ファスナー２１は、本実施例ではジッパーやチャックなどと称される線ファスナーからなり、スライダー（つまみ）を下から上へ上げることにより係合（連結）し、逆に下げることにより分離（開放）するようになっている。なお、本実施例では、前記開閉用ファスナー２１は、各壁面１５、１９、２３、２７の側部の縁における下端まで分離（開放）可能に設けられているが、それに限られず、各壁面の下端から所定量上方の位置までの範囲は隣り合う壁面を分離（開放）できないようにしてもよい。すなわち、各壁面の上端に開閉用ファスナー２１が所定量下方の位置までの範囲で隣り合う壁面を分離（開放）できるようにすることで、前記各壁面１５、１９、２３、２７を内側または外側へ折り曲げることができる。したがって、各壁面の１５、１９、２３、２７の下端から所定量上方位置までの範囲は、隣り合う壁面同士を縫合等で連結し、それより上方の部分に前記開閉用ファスナー２１を設けてもよい。前記開閉用ファスナー２１は、各壁面の上端に設けられているため、前記袋体１０内に収納する物品（ばんじゅう）の高さに応じて、前記開閉用ファスナー２１の下端からの係合量を調節し、係合部分より上方の部分で前記各壁面１５、１９、２３、２７を内側または外側へ折り曲げることができる。
【００２４】
前記左壁面１９及び右壁面２３は、上端に屈曲可能な折り重ね部２０、２４が設けられ、前記折り重ね部２０、２４を除いて、前記左壁面１９及び右壁面２３の側部の縁に前記開閉用ファスナー２１が設けられている。前記折り重ね部２０、２４の折り曲げ位置２０ａ、２４ａは、縫合線などで剛性が低下した折り目が形成されている。
【００２５】
前記前壁面１５は、上下長さが、前記左壁面１９及び右壁面２３の上端に設けた折り重ね部２０、２４に相当する部分を除いた前記左壁面１９及び右壁面２３の上下長さとほぼ等しくされている。
【００２６】
前記長壁面２７の蓋部分２８は、長さが前記底面１１の大きさに相当する分以上、大にされており、図４の（４−２）及び（４−３）のように、前記各壁面の開閉用ファスナー２１が前記他の壁面１５、１９、２３の上部における開閉ファスナー２１の上端まで係合して各壁面１５、１９、２３、２７によって上方の開口した袋状を形成した状態で、前記蓋部分２８が開口１０ａを覆って前記長壁面２７と対向する前壁面１５の外面に先端部２９で重なるように構成されている。前記先端部２９の基部の折り曲げ位置２９ａは、縫合線などで剛性が低下した折り目となっている。なお、前記長壁面２７における長さが等しい部分２７ａの上下長さは、前壁面１５の上下長さ及び、前記左壁面１９及び右壁面２３の上端に設けた折り重ね部２０、２４に相当する部分を除いた前記左壁面１９及び右壁面２３の上下長さとほぼ等しくされている。また、本発明において「等しい長さ」の語句は、一般的に「等しい」と称される範囲を含むものであって厳格な同一の長さを意味するものではなく、多少の幅を有する「ほぼ等しい長さ」に相当するものとも言える。
【００２７】
前記各壁面１５、１９、２３、２７には、それぞれ折り曲げを助ける折り目３１が所定間隔で形成されている。前記各壁面１５、１９、２３、２７は、折り目がなくても折り曲げ可能であるが、折り目３１がないと、折り曲げた頂部がゆがんだりしてきれいに折り曲げできないことがある。前記折り目３１は、縫合線などで剛性が低下した部分で構成されている。前記折り目３１の上下間隔は、本実施例では、前記袋体１０に収納するばんじゅうの一段の高さとほぼ等しくされ、前記袋体１０内に収納したばんじゅうの高さに合わせて各壁面を折り曲げし易くしている。
【００２８】
前記各壁面１５、１９、２３、２７の外面と内面の少なくとも一方には、対向する壁面と一部が重なった際の係合用ファスナー３５ａ、・・・、３７ａ、・・・、３９ａ、・・、４１ａ、・・・が設けられている。前記係合用ファスナー３５ａ、・・・は公知の面ファスナーからなり、互いに係合することになる係合用ファスナー同士は、一方が雄タイプ、他方が雌タイプで構成されている。
【００２９】
各壁面１５、１９、２３、２７の係合用ファスナーについて、図１〜図３を用いて以下に示す。
前記前壁面１５の外面には、上部に係合用ファスナー３５ａが水平方向に設けられ、また、上下中間部に係合用ファスナー３５ｂが水平方向に設けられ、さらに前記係合用ファスナー３５ｂよりも下方に係合用ファスナー３５ｃが上下方向（縦）に設けられている。前記前壁面１５の内面には、上部に係合用ファスナー３５ｄが水平方向に設けられている。なお、前記前壁面１５の外面の前記係合用ファスナー３５ａ、３５ｃは雌タイプであり、一方、前記外面の係合用ファスナー３５ｂ及び内面の前記係合用ファスナー３５ｄは雄タイプである。
【００３０】
前記左壁面１９の外面には、上端の前記折り重ね部２０の外面に水平方向に係合用ファスナー３７ａが設けられている。前記左壁面１９の内面には前記折り重ね部２０よりも下方位置に、上下に所定間隔離れて水平方向に係合用ファスナー３７ｂ、３７ｃが設けられている。なお、前記左壁面１９の外面の前記係合用ファスナー３７ａは雌タイプであり、一方、内面の前記係合用ファスナー３７ｂ、３７ｃは雄タイプである。
【００３１】
前記右壁面２３の外面には、上端の前記折り重ね部２４の外面に水平方向に係合用ファスナー３９ａが設けられ、また、前記折り重ね部２４よりも下方に係合用ファスナー３９ｂが設けられている。前記右壁面２３の内面には、前記折り重ね部２４よりも下方位置に、所定間隔上下に離れて水平方向に係合用ファスナー３９ｃ、３９ｄが設けられている。なお、前記右壁面２３の外面の前記係合用ファスナー３９ａ、３９ｂは雌タイプであり、一方、内面の前記係合用ファスナー３９ｃ、３９ｄは雄タイプである。
【００３２】
前記長壁面（背壁面）２７の外面には、前記蓋部分２８と該蓋部分２８から下方へ続く前記長さが等しい部分２７ａとに亘って、両側部の縁よりも内側位置に縦方向に係合用ファスナー４１ａが設けられ、また、前記長さが等しい部分２７ａの上下中間位置に係合用ファスナー４１ｂが設けられている。前記長壁面（背壁面）２７の内面には、前記先端部２９に水平方向に係合用ファスナー４１ｃが設けられ、また、前記先端部２９よりも下方の前記蓋部分２８には左右中間位置に係合用ファスナー４１ｄが設けられ、さらに、前記蓋部分２８から前記長さが等しい部分２７ａに亘って、両側部の縁よりも内側位置に縦方向に係合用ファスナー４１ｅが設けられている。なお、前記長壁面（背壁面）２７の外面の前記係合用ファスナー４１ａ、４１ｂは雌タイプであり、一方、内面の前記係合用ファスナー４１ｃ、４１ｄ、４１ｅは雄タイプである。
【００３３】
前記物品搬送用袋体１０に前記ばんじゅう１００を収納する際の例について説明する。図４は前記ばんじゅう１００を最大限、すなわち前記左右壁面１９、２３及び前壁面１５の上端付近まで収納する際である。
まず、図４の（４−１）に示すように、各壁面の前記開閉用ファスナー２１のスライダー（つまみ）を所定量上端から下げた状態とし、各壁面を前記開閉用ファスナー２１の係合上端位置よりも上方部分で外方へ曲げて拡開し、ばんじゅう（図示せず）の所定数を前記袋体１０内に積み上げて収納する。次に、図４の（４−２）に示すように、各壁面の前記開閉用ファスナー２１のスライダー（つまみ）を上端まで引き上げて、前記左右壁面１５、１９及び前壁面２３の折り重ね部２０、２４の下端まで係合し、上方に開口１０ａを有する袋状とする。
【００３４】
次に、前記左右壁面１９、２３の折り重ね部２０、２４を内側へ折り曲げ、前記長壁面（背壁面）２７における蓋部分２８で前記開口１０ａを覆い、その際に、前記左右壁面１９、２３における折り重ね部２０、２４の外面の係合用ファスナー３７ａ、３９ａと、前記長壁面（背壁面）２７における蓋部分２８の内面の係合用ファスナー４１ｅを係合させる。
【００３５】
そして、図４の（４−３）に示すように、前記前壁面１５の外面上部に前記長壁面（背壁面）２７の先端部２９を重ね、前記前壁面１５の外面上部の係合用ファスナー３５ａと、前記長壁面（背壁面）２７における先端部２９の内面の係合用ファスナー４１ｃを係合させ、前記袋体１０を閉じた状態にする。
【００３６】
前記ばんじゅうを最大限収納した状態からばんじゅうを取り出す際には、図５の（５−１）に示すように、前記壁面の前記開閉用ファスナー２１のスライダー（つまみ）を所定量上端から下げた状態とし、各壁面を前記開閉用ファスナー２１の係合上端位置よりも上方部分で外方へ曲げて拡開し、ばんじゅう（図示せず）を前記袋体１０から取り出す。
その際、ばんじゅうを少数取り出して残ったばんじゅうを収納した状態で袋体１０を閉じる際について説明する。例えば最大限収納したばんじゅうを１段取り出して、その後に袋体１０を閉じる場合、図５の（５−１）及び（５−２）に示すように、各壁面の前記開閉用ファスナー２１のスライダー（つまみ）を所定量上端から下げた状態で、前記前壁面１５の上部を前記ばんじゅう１段分の折り目３１を利用して外方へ折り曲げて前記前壁面１５の外面に重ね、前記折り曲げた部分１６の前記係合用ファスナー３５ａを、前記折り曲げた部分１６と重なる位置にある前記係合用ファスナー３５ｂと係合させる。
【００３７】
次に、図６の（６−１）に示すように、前記長壁面（背壁面）２７の前記開閉用ファスナー２１の係合部分よりも上方部分を前壁面１５側へ折り曲げて、前記袋内の最上段のばんじゅう上方を覆い、さらに先端側を前記前壁面１５の外面の前記折り返した部分１６およびそれより下方の前壁面１５の外面に重ね、前記前壁面１５の外面の縦方向の係合用ファスナー３５ｃと、前記長壁面（背壁面）２７における先端部２９の内面の係合用ファスナー４１ｃを係合させる。
【００３８】
その後、図６の（６−２）に示すように、前記左右の壁面１９、２３を内側へ折り曲げて、前記長壁面２７の外面（上面）に重ね、前記長壁面２７の外面の係合用ファスナー４１ａと、前記左右の壁面１９、２３の内面の前記係合用ファスナー３７ｂ、３９ｃを係合させ、前記袋体１０を閉じた状態にする。
【００３９】
なお、図５及び図６の例では、前記前壁面１５の上部を外側へ折り曲げる（折り返す）場合であるが、図７及び図８のように、前記前壁面１５の上部を内側へ折り曲げてもよい。
すなわち、図７の（７−１）のように、各壁面の前記開閉用ファスナー２１のスライダー（つまみ）を所定量上端から下げた状態で、図７の（７−２）のように、前壁面１５の上部を内方へ折り曲げ、次に図８の（８−１）のように、左右の壁面１９、２３の前記開閉用ファスナー２１の係合部分よりも上方の部分を内側へ折り曲げ、前記前壁面１５の折り曲げた部分の外面の係合用ファスナー３５ａと、前記左右の壁面１９、２３の折り曲げた部分の内面の前記係合用ファスナー係合用ファスナー３７ｂ、３９ｃを係合させる。
【００４０】
その後、図８の（８−２）のように、前記長壁面（背壁面）２７における前記開閉用ファスナー２１の係合部分よりも上方の部分を前記前壁面１５側へ折り曲げて、前記左右の壁面１９、２３の折り曲げた部分の外面を覆い、さらに先端側を前記前壁面１５の外面の前記折り曲げた部分よりも下方に重ね、前記前壁面１５の外面の縦方向の係合用ファスナー３５ｃと、前記長壁面（背壁面）２７における先端部２９の内面の係合用ファスナー４１ｃを係合させる。
【００４１】
さらに前記袋体１０からばんじゅうを取り出して、前記袋体１０内のばんじゅうの高さが低くなった結果、前記長壁面（背壁面）２７における前記開閉用ファスナー２１の係合部分よりも上方の部分を折り曲げて、図６の（６−２）あるいは図８の（８−２）と同様にして前記前壁面１５の外面に重ねようとした場合に、前記長壁面２７の先端側が長過ぎて、単に前壁面１５の外面に重ねるだけでは余ってしまう場合の対処例について説明する。
【００４２】
図９の（９−１）に示すように、前記開閉用ファスナー２１のスライダー（つまみ）をさらに下方へ下げて係合量を短くし、その状態でばんじゅう（図示せず）を所定数取り出した後、図９の（９−２）に示すように、前記前壁面１５における前記開閉用ファスナー２１の係合部分よりも上方の部分を内側へ折り曲げて、袋体内のばんじゅうの上面に重ねる。
【００４３】
次に前記長壁面（背壁面）２７における前記開閉用ファスナー２１の係合部分よりも上方の部分を、前記ばんじゅうの上面に折り重ねた前記前壁面１５の部分の上面に、図１０の（１０−１）に示すように折り畳んで重ねる。
その後、図１０の（１０−２）に示すように、前記右壁面２３における前記開閉用ファスナー２１の係合部分よりも上方の部分を、内側へ折り曲げて、前記長壁面（背壁面）２７の折り畳んだ部分の上に重ね、最後に図１０の（１０−３）に示すように、左壁面１９における前記開閉用ファスナー２１の係合部分よりも上方の部分を、内側へ折り曲げて、前記右壁面２３の折り重ねた外面の上に重ね、前記右壁面２３の外面の前記係合用ファスナー３９ｂと、前記左壁面１９の内面の前記係合用ファスナー３７ｃを係合させることにより、前記袋体１０を閉じる。
【００４４】
このように、前記物品搬送用袋体１０は、開閉用ファスナー２１の係合量を調節して、ばんじゅうの収納及び取り出しをしている際に、各壁面１５、１９、２３、２７は、開閉用ファスナー２１が係合している範囲で袋状が維持されるため、袋体１０が下までずり落ちるなどの不具合が無くなり、作業が容易である。
【００４５】
なお、本発明において、前記各壁面の折り曲げは、前記実施例に限られるものではなく、前記係合用ファスナーを係合させることができる折り曲げ方であればよい。また、係合用ファスナーの位置も前記実施例の位置に限られるものではなく、折り曲げた壁面が係合できる位置であればよい。例えば、水平方向に設けた係合ファスナーを上下方向（縦）に設けてもよく、その位置も壁面の中央又は左右方向端部に設けてもよい。また、その逆に、上下方向（縦）に設けた係合ファスナーを水平方向に設けてもよく、これらに応じた各壁面の折り曲げ方とすることができる。
【００４６】
また、開閉用ファスナーは、各壁面の上端から所定量下方の位置までの範囲で隣り合う壁面を分離（開放）できるように設け、その位置から下方の部分は隣り合う壁面同士を縫合等で連結してもよい。
さらに、各壁面の長さも実施例のものに限定されるものではない。例えば、長壁面における他の壁面に対する上下の長さが等しい部分と蓋部分とを係合手段である線ファスナーで係合・連結して構成してもよい。この場合、長壁面の上下の長さが等しい部分と蓋部分とが係合部品である線ファスナーにより連結及び分離可能とされ、本実施例と同様に袋体の高さを調節できるのみならず、収納物品の高さが低い場合には蓋部分を分離して袋体の高さを調節することもできる。
【００４７】
また、例えば、分離可能な蓋部分をあらかじめ設けずに又は分離して、長壁面を上下の長さが等しい部分のみの構成とすることで、全ての壁面が同じ長さとすることもできる。この場合、各壁面の上端が開口した袋状となり、物品の収納や取り出しを容易にできる。また、各壁面の側部の開閉用ファスナーの位置を調節し、開閉用ファスナーの係合部分よりも上方の複数の壁面の部分を折り曲げて、前記開口を覆うことができる。
【符号の説明】
【００４８】
１０  物品搬送用袋体
１１  底面
１５、１９、２３、２７  壁面
２７  長壁面
２１  開閉用ファスナー
３５ａ、３５ｂ、３５ｃ、３５ｄ  係合用ファスナー
３７ａ、３７ｂ、３７ｃ  係合用ファスナー
３９ａ、３９ｂ、３９ｃ、３９ｄ  係合用ファスナー
４１ａ、４１ｂ、４１ｃ、４１ｄ、４１ｅ  係合用ファスナー
【図１】
2016159913.tif 000003
【図２】
2016159913.tif 000004
【図３】
2016159913.tif 000005
【図４】
2016159913.tif 000006
【図５】
2016159913.tif 000007
【図６】
2016159913.tif 000008
【図７】
2016159913.tif 000009
【図８】
2016159913.tif 000010
【図９】
2016159913.tif 000011
【図１０】
2016159913.tif 000012